(57)【要約】【課題】モップヘッドおよび拭き掃除方法を提供する。【解決手段】モップヘッド（１）には、流体を表面に分配するためのノズル（４）と、当該表面に沿って通過すべきモップ面（２）とが設けられ、この場合、モップヘッド（１）には、流体をノズル（４）に導くための流体ガイド（５）が設けられ、モップ面（２）は中間面（７）とその両側の端面（８）とを備え、ここで、少なくとも１つの端面（８）は、中間面（７）に対してある角度で延びるように配置され、この場合、中間面（７）と少なくとも１つの端面（８）との間の角度は１８０°よりも大きい。【選択図】図１
2010533029.tif 000002
【特許請求の範囲】
【請求項１】
流体を表面に分配するためのノズルと、流体を前記ノズルに導くための流体ガイドと、前記表面に沿って通過すべきモップ面とが設けられたモップヘッドであって、
前記モップ面が中間面と両側の端面とを備え、少なくとも１つの端面が、前記中間面に対してある角度で延びるように配置され、前記中間面と前記少なくとも１つの端面との間の角度が１８０°よりも大きいモップヘッド。
【請求項２】
前記ノズルが、前記中間面および前記少なくとも１つの端面に沿っておよび／または前記中間面および前記少なくとも１つの端面に設けられる請求項１に記載のモップヘッド。
【請求項３】
前記少なくとも１つの端面と前記中間面との間の角度が約２７０°になるように、前記少なくとも１つの端面が、旋回軸線を中心におよび約９０°の角度にわたり、前記中間面に対して旋回するように配置される請求項１または２に記載のモップヘッド。
【請求項４】
前記流体ガイドの長さが前記旋回軸線にほぼ平行に延びる請求項３に記載のモップヘッド。
【請求項５】
ヒンジが、前記中間面と前記少なくとも１つの端面とを互いに旋回させるように配置される請求項１〜４のいずれか１項に記載のモップヘッド。
【請求項６】
前記流体ガイドが前記ヒンジを介しておよび／または前記ヒンジに沿って延びる請求項５に記載のモップヘッド。
【請求項７】
前記モップヘッドには、材料を清掃するための少なくとも１つの接続要素が設けられ、前記接続要素が前記モップ面に沿って移動するように配置される請求項１〜６のいずれか１項に記載のモップヘッド。
【請求項８】
前記少なくとも１つの接続要素が前記モップ面に沿ってスライドするように配置される請求項７に記載のモップヘッド。
【請求項９】
前記少なくとも１つの接続要素が前記少なくとも１つの端面に沿って移動するように配置される請求項７または８に記載のモップヘッド。
【請求項１０】
前記少なくとも１つの接続要素がベルクロを備える請求項７〜９のいずれか１項に記載のモップヘッド。
【請求項１１】
前記流体ガイドが可撓性チューブを備える請求項１〜１０のいずれか１項に記載のモップヘッド。
【請求項１２】
請求項１〜１１のいずれか１項に記載のモップヘッドを有するモップ。
【請求項１３】
拭き掃除方法であって、モップによって、第１の表面が拭き掃除され、流体が前記第１の表面に分配され、それと同時に、前記第１の表面に対して１８０°よりも大きな角度にある第２の表面が拭き掃除され、前記同じモップを使用して、流体が前記第２の表面に分配される拭き掃除方法。
【請求項１４】
前記流体が蒸気を含む請求項１２または１３に記載のモップまたは方法。
【請求項１５】
流体を表面に分配するためのノズルと、流体を前記ノズルに導くための流体ガイドと、前記表面に沿って通過すべきモップ面とが設けられた、好ましくは請求項１〜１１のいずれか１項に記載のモップヘッドであって、前記ノズルが、前記モップ面の縁部の近傍におよび／または前記モップ面の前記縁部に沿って設けられ、前記モップヘッドには、前記モップ面の近傍に接続されるグリップが設けられるモップヘッド。
【発明の詳細な説明】
【技術分野】
【０００１】
流体を表面に分配するためのノズルと、流体をノズルに導くための流体ガイドと、表面に沿って通過すべきモップ面とが設けられるモップヘッド。
【０００２】
さらに、本発明は拭き掃除方法に関する。
【背景技術】
【０００３】
蒸気ノズル等の流体分配ノズルを有する従来の大部分のモップには、清掃する繊維が接続される平坦なモップ面が設けられる。床への蒸気等の流体の分配は、少なくとも、流体を分配しない拭き掃除に比べて、より優れたおよび／またはより容易な床の清掃を行う際の助けとなる。しかし、これらのモップヘッドの本質的に剛性の構造、時に比較的重い重量、および流体管の構成により、このようなモップの使用がほぼ直線およびほぼ水平の面、例えば床に限定される。
【発明の概要】
【課題を解決するための手段】
【０００４】
第１の態様では、本発明は、流体を表面に分配するためのノズルと、流体をノズルに導くための流体ガイドと、表面に沿って通過すべきモップ面とが設けられたモップヘッドを備え、この場合、モップ面は中間面とその両側の端面とを備え、ここで、少なくとも１つの端面は中間面に対してある角度で延びるように配置され、この場合、中間面と少なくとも１つの端面との間の角度は１８０°よりも大きい。
【０００５】
ここで、本発明によるモップヘッドは、モップヘッドの少なくとも１つの端面を第２の表面に沿って通過させることにより、第１の表面、例えば床に対してある角度、例えば９０°にある第２の表面、例えば壁または基板を拭き掃除しおよび／またはその第２の表面に流体を分配することを可能にする。これらの第２の表面は、同じモップを使用して第１の表面と同時に拭き掃除することが可能である。例えば、床は中間面および一方の端面で清掃され、一方、壁および／または基板の一部はモップの他の端面で清掃される。本発明により、床の拭き掃除中に、壁、基板または斜面の部分を拭き掃除することができ、それと同時に、流体、特に蒸気を前記部分に分配することが可能である。
【０００６】
好ましくは、ノズルおよび／または流体ガイドは流体を前記第２の表面に分配するように配置され、例えば、ノズルは、第２の表面を清掃するための少なくとも１つの端面に沿ってまたはそれに設けられるか、あるいは少なくとも、流体が前記第２の表面に分配されるように、ノズルが配置される。好ましくは、流体ガイドは、旋回軸線、例えばヒンジを介しておよび／またはそれに沿って延び、前記旋回軸線により、それを中心とする中間面に対する端面の旋回が可能になる。
【０００７】
第２の態様では、本発明は拭き掃除方法を含み、この場合、モップによって、第１の表面が拭き掃除され、流体が前記第１の表面に分配され、ここで、それと同時に、第１の表面に対して１８０°よりも大きな角度にある第２の表面が拭き掃除され、同じモップを使用して、流体が前記第２の表面に分配される。
【０００８】
本発明の説明において、図面を参照して、本発明のこれらおよび別の実施形態、ならびにそれらの利点をさらに説明する。
【図面の簡単な説明】
【０００９】
【図１】モップヘッドの斜視図である。
【図２】モップヘッドの平面断面図である。
【図３】２つの表面を同時に清掃するモップヘッドの正面断面図である。
【図４】蒸気清掃工具の斜視図である。
【図５】蒸気清掃工具の斜視図である。
【００１０】
この説明において、同一のまたは対応する部分は、同一のまたは対応する参照番号を有する。図示されている典型的な実施形態は、決して、限定的なものと解釈されるべきではなく、単に例示的なものとして使用される。
【発明を実施するための形態】
【００１１】
図１は、第１の表面３に平坦に配置されるモップ面２が設けられたモップヘッド１を有するモップ２０の一部を示している。流体６、例えば蒸気を第１の表面３に分配するために、モップ面２にはノズル４が設けられる。好ましくは、ノズル４は、モップ面２の端の近傍におよび／またはそれに沿って、例えば、モップ面２の縁部の近傍に、および／またはモップ面２に沿って延びる別個のプロファイルに設けられる。清掃する繊維１１をモップ面２に接続することが可能である。流体６をノズル４に導くための流体ガイド５は、図２の平面断面図に部分的に示されているように、モップヘッド１内に設けられる。モップ面３は、中間面７と、その両側の端面８とを備え、中間部９およびその両側の端部１０のそれぞれの部分である。
【００１２】
図１において、端面８の一方は、平坦位置８Ａに示されており、そして前記端面の一方が、第１の表面３に対して角度Αをなす第２の表面に面するような旋回位置８Ｂに示されている。端面８は、中間面７に対して１８０°またはそれよりも大きな角度、すなわち２７０°の角度Βで延びるように配置される。図１に示したように、中間面７と少なくとも１つの端面８との間の角度Βは約２７０°であることが可能であり、その結果、端面８を用いて、第１の表面３に対して角度Α、例えば約９０°をなす第２の表面を拭き掃除することができる。端面８におよび／またはそれに沿って延びるノズル４が、中間面７におよび／またはそれに沿って延びるノズル４に対して、約２７０°の角度Βにもなり得るように、ノズル４が中間面７および端面８におよび／またはそれらの近傍に設けられる。
【００１３】
図３には、モップ２０によって、第１の表面３が拭き掃除され、そして流体６がノズル４を介して分配され、それと同時に、第１の表面３に対して角度Αにある第２の表面３Ｂが拭き掃除され、そして同じモップ２０を使用して、流体６が前記第２の表面３Ｂに分配されることが概略的に示されている。前記流体６は、好ましくは、１つまたは複数の流体ガイド５に接続された図示していない流体供給部によって供給される蒸気を含む。図示した実施形態では、流体、好ましくは蒸気を当該第２の表面３Ｂに当てる間に、第２の表面３Ｂを清掃することができる。例えば、第１の表面３は床であってもよく、一方、例えば、第２の表面３Ｂは壁および／または基板であってもよい。両方の表面３、３Ｂを同時に清掃するために、端面８が、旋回軸線Ｐを中心におよび好ましくは少なくとも９０°の角度Αにわたり、中間面７に対して旋回するように配置される。好ましくは、表面３、３Ｂを清掃するときに、清掃する繊維１１がモップ面２に接続される。
【００１４】
一実施形態では、流体ガイド５の一部は、ある長さＬ（図２参照）にわたって、中間面７および端面８の旋回軸線Ｐにほぼ平行に延び、すなわち、流体ガイド５の前記一部の長手方向軸線Ｌは旋回軸線Ｐにほぼ平行であるかまたはそれに等しい。この実施形態において、端面８が中間面７に対して旋回されるとき、流体ガイド５の一部は、不都合に曲がらないように旋回軸線Ｐを中心に回転される。旋回軸線Ｐに平行に延びる流体ガイド５の一部を有することによって、ガイド５が過度にまたは長時間にわたり曲がって損傷することを防止することができる。
【００１５】
図１から理解できるように、モップヘッド１は、旋回軸線Ｐを中心として中間面７および端面８を互いに旋回させるように配置される第１のヒンジ１２を備え得る。一実施形態では、流体ガイド５はこれらの第１のヒンジ１２を介して案内される。流体ガイド５は例えばチューブ５Ａを備えることが可能であり、この場合、チューブ５Ａは第１のヒンジ１２を介して案内される。第１のヒンジ１２を介してガイド５を案内することにより、第１のヒンジ１２のハウジングでガイド５を保護し得る。さらに、ガイド５を曲げることなく、端面８を旋回させることが可能である。一実施形態では、第１のヒンジ１２は、２つの連結部１２Ａ、１２Ｂを有し、これらの連結部は、旋回軸線Ｐを中心に、好ましくは、前記ヒンジ１２を介して延びる流体ガイド５の部分の長手方向軸線Ｌを中心に互いにヒンジ結合される。流体ガイド５は、流体６を中間面７および端面８のノズル４に導くために、モップ２０に接続された流体供給部から、モップ２０のハンドル１３を介して第２のヒンジ１４を介して延び、中間部９から少なくとも１つの端部１０に延びることが可能である。
【００１６】
異なる実施形態では、異なる機構を使用して、中間面７と端面８との間でヒンジ結合を行うことができる。例えば、可撓性ストリップ、曲げ材料等の一体ヒンジを使用することができる。
【００１７】
好ましくは、モップヘッド１には、清掃する繊維１１用の少なくとも１つの接続要素１５が設けられ、この接続要素１５はモップ面２に沿って移動するように配置される。接続要素１５は、モップ面２に沿ってスライドするように配置されたスライド要素を備え得る。中間面７および／または端面８に、好ましくは、少なくとも端面８に、移動可能な接続要素１５を設けることが可能である。端面８が旋回されたときに、清掃する繊維１１が緊張し、少なくとも部分的にモップ面２に沿って移動する。スライド可能または少なくとも移動可能な接続要素１５を介したモップ面２への接続によって、繊維１１は、その一部がモップ面２の少なくとも一部に沿ってスライドする間も、モップ面２への比較的安定した接続を維持することが可能である。一実施形態では、接続要素１５は、清掃する繊維１１に容易に接続するためのベルクロを備える。
【００１８】
例えば、モップヘッド１の代替実施形態は、角度Βで固定されて延びるように配置される固定端面８を備える。例えば、旋回を行うことなく、中間面７に対してある角度をなす位置に、例えば、２７０°の角度Βで、端面８を固定することが可能である。第１の表面３に対して角度Αにある第２の表面３Ｂを端面８で拭き掃除することができる。
【００１９】
図４には、蒸気清掃工具１００と呼ばれるモップヘッドの実施形態が示されている。このモップヘッド／蒸気清掃工具１００は、モップヘッド１とは別個の発明とみなすことが可能である。蒸気清掃工具は、特に、マットレス、枕および／またはクッション等の比較的柔らかく粗い表面を清掃するのに最適である。蒸気清掃工具１００は、例えば、蒸気供給部に取り付けるべき交換可能な要素を形成することが可能であり、例えば、同じ蒸気供給部に取り付けるためにモップヘッド１と交換することができる。
【００２０】
一実施形態では、工具１００には、清掃面（すなわちモップ面）１０１と、その清掃面におよび／またはそれに沿って設けられるノズル１０８と、そのノズルに流体を導くための流体ガイドとが設けられる。工具１００にはグリップ１０２が設けられ、このグリップは、ノズル１０８の反対側において、清掃面１０１に直接または少なくとも近接して接続される。蒸気供給部または流体供給部をグリップ１０２に接続することが可能である。好ましくは、清掃面１０１の長手方向縁部Ｅ１、Ｅ２は清掃面１０１の横方向縁部Ｅ３、Ｅ４よりも長く、これに対して、グリップ１０２は、少なくとも、清掃面１０１に対して垂直方向から見て、長手方向縁部Ｅ１、Ｅ２にほぼ平行な方向におよび／またはそれらの間に延びる。グリップ１０２は、清掃面１０１との、あるいは少なくとも、清掃工具１００のハウジング１０４またはフレームとの接続部１０３を有し、この接続部１０３は、好ましくは、長手方向端部１０６の近傍に、または少なくとも、清掃面１０１の中間部１０５と長手方向端部１０６との間に配置される。
【００２１】
一実施形態では、使用を快適にするために、グリップ１０２の一部の長手方向軸線ＬＨは、清掃面１０１の長手方向軸線ＬＦに対して第２の角度Γ２で、ほぼ０°で、例えば０〜４５°で、好ましくは０°〜３０°で延びることが可能である。グリップ１０２の第２の長手方向軸線ＬＨ２は、前記接続部１０３の近傍の清掃面１０１の長手方向軸線ＬＦに対して２０°〜７０°の角度Γをなして延びる。
【００２２】
蒸気清掃工具１００の好ましい実施形態では、工具１００のノズル１０８は、清掃面１０１の長手方向縁部Ｅ１、Ｅ２の少なくとも一方の近傍におよび／またはそれに沿って配置される。例えば、ノズル１０８は、清掃面１０１の長手方向縁部Ｅ１に沿ってプロファイル１０７に配置される。
【００２３】
比較的使いやすい実施形態では、少なくとも蒸気清掃工具１００を使用する場合に、グリップ１０２と、清掃面１０１、または少なくともそのハウジング１０４との間の接続部１０３が固定される。例えば、清掃面１０１に対して、異なる位置および／または異なる角度Γをなすように、グリップ１０２を配置し、使用中には固定することも可能である。一実施形態では、グリップ１０２は清掃面１０１に永久的に固定される。例えば、グリップ１０２はハウジング１０４に一体化される。
【００２４】
蒸気清掃工具１００の比較的制御されかつ効率的な使用は以下のようなものである。蒸気清掃工具１００は、好ましくは比較的柔らかい表面、例えばマットレス、枕またはクッション、特にマットレス上に保持される。清掃面１０１は前記表面に沿って通過し、そして蒸気１０９は工具１００によって前記表面に分配される。蒸気清掃中に、例えば、スタッコ（すなわちプラスター）を適用するように、工具１００を移動させることができ、前記スタッコ（すなわちプラスター）は、後知恵により、マットレス、枕および／またはクッション等の比較的柔らかい抵抗性の表面を蒸気清掃するための便利な方法であると思われる。したがって、典型的な実施形態では、蒸気清掃工具１００は、スタッコ工具（例えば図５参照）と同様の設計態様を有する。清掃面１０１は前記表面に沿って移動され、一方、使用者の手は、清掃面１０１に比較的近接した、例えば、清掃面１０１の真上の、好ましくは、清掃面から１５ＣＭ未満にあるグリップ１０２を保持する。同時に、手がハウジング１０４またはフレームによって、清掃面１０１および／またはノズル１０８から来る熱および／または蒸気から保護される。特に、固定されたグリップ１０２は、比較的柔らかいのと同時に湿潤平面に対して耐性がある表面、例えばマットレス上で、工具１００、例えば蒸気／モップヘッドをスライドさせる際に使用者を補助する。
【００２５】
上記方法および工具１００により、特に病院のマットレスを便利に蒸気清掃することができ、すなわち、他の大部分の蒸気清掃装置とは対照的に、蒸気清掃工具１００をマットレス上で比較的スムーズにスライドさせることができる。特に、試験で確認されたように、清掃面１０１に対するグリップ１０２の形態により、特にマットレスを蒸気清掃する便利な方法が提供される。
【００２６】
本発明が、決して、説明および図面に示されている実施形態に限定されないことが明らかであろう。請求項によって示されるような本発明の枠内で、多くの変形および組み合わせが可能である。本発明の枠内で、実施形態の１つ以上の態様の組み合わせ、または異なる実施形態の組み合わせが可能である。全ての同等の変形は、請求項によって示されるような本発明の枠内に含まれると理解される。
【符号の説明】
【００２７】
１  モップヘッド
２  モップ面
３  第１の表面
３Ｂ  第２の表面
４  ノズル
５  流体ガイド
５Ａ  チューブ
６  流体
７  中間面
８  端面
８Ａ  平坦位置
８Ｂ  旋回位置
９  中間部
１０  端部
１１  清掃する繊維
１２  第１のヒンジ
１２Ａ  連結部
１２Ｂ  連結部
１３  ハンドル
１４  第２のヒンジ
１５  移動可能な接続要素
２０  モップ
１００  モップヘッド／蒸気清掃工具
１０１  清掃面
１０１  モップ面
１０２  グリップ
１０３  接続部
１０４  ハウジング
１０５  中間部
１０６  長手方向端部
１０７  プロファイル
１０８  ノズル
１０９  蒸気
Ｅ１  長手方向縁部
Ｅ２  長手方向縁部
Ｅ３  横方向縁部
Ｅ４  横方向縁部
Ｌ  流体ガイド５の一部の長手方向軸線
Ｌ  ある長さ
ＬＦ  清掃面１０１の長手方向軸線
ＬＨ  グリップ１０２の一部の長手方向軸線
ＬＨ２  グリップ１０２の第２の長手方向軸線
Ｐ  旋回軸線
Α  第１の表面３に対する角度
Β  中間面７と少なくとも１つの端面８との間の角度
Γ  長手方向軸線ＬＦに対する角度
Γ２  長手方向軸線ＬＦに対する第２の角度
【図１】
2010533029.tif 000003
【図２】
2010533029.tif 000004
【図３】
2010533029.tif 000005
【図４】
2010533029.tif 000006
【図５】
2010533029.tif 000007
【国際調査報告】
2010533029.tif 000008
2010533029.tif 000009
2010533029.tif 000010
2010533029.tif 000011
2010533029.tif 000012